(57)【要約】  液体のための折り畳み可能な熱可塑性容器に軸方向の圧縮力を加えるように構成された圧縮機を含む、高温または中温充填のための装置であって、この圧縮機は容器の底部に対する載置表面となるように設計された表面を有する少なくとも１つの下側本体（１１２、２０４、３０４）と、容器の周囲溝（１２）より上の部分に接触するように設計された少なくとも１つの上側本体（１０８、１１６、１１８、１１９、２０２、２１２、３０８）とを含むことで、これらの少なくとも１つの下側本体（１１２、２０４、３０４）および少なくとも１つの上側本体（１０８、１１６、１１８、１１９、２０２、２１２、３０８）によって容器が直立位置に保持されることができ、この圧縮機はさらに、近位直線側部（３）を遠位直線側部（４）と接触させて容器の内部体積を低減させるために、容器の長手軸（Ｚ）に平行な方向に沿って作用する前記軸方向の圧縮力を加えるために少なくとも１つの下側本体（１１２、２０４、３０４）および／または少なくとも１つの上側本体（１０８、１１６、１１８、１１９、２０２、２１２、３０８）を始動させるための始動手段を含む。【選択図】図１２
2019532879.tif 000002
【特許請求の範囲】
【請求項１】
高温充填または中温充填のための装置であって、
ブロー成形機（Ｂ）、充填機（Ｆ）、キャッピング機（Ｃ）、傾斜機（Ｔ）、冷却トンネル（ＣＴ）を含み、
折り畳み可能な熱可塑性容器に対してその長手軸（Ｚ）に沿った軸方向の圧縮力を加えるように構成された圧縮機（Ｐ）が提供され、
前記圧縮機（Ｐ）は前記ブロー成形機（Ｂ）と前記充填機（Ｆ）との間、もしくは前記充填機（Ｆ）と前記キャッピング機（Ｃ）との間に位置決めされるか、
または前記充填機は前記圧縮機でもあるか、
または前記キャッピング機は前記圧縮機でもあり、
前記折り畳み可能な熱可塑性容器は高温充填または中温充填プロセスのために設計されたものであって、
−  ショルダーが設けられた本体、
−  前記本体の第１の側部における開口部を定める円形の上側端部と、ネックリング（５２）とが設けられたネック（１３）、
−  前記本体の前記第１の側部とは反対の第２の側部における底部面を定める底部を含み、
前記本体は、前記ネック（１３）と前記長手軸（Ｚ）に沿った前記容器の中央との間に周囲溝（１２）を有し、
前記周囲溝は前記ネック（１３）に対して近位の第１の側部（３）と、前記ネック（１３）から遠位の第２の側部（４）とを含み、
前記周囲溝によって、前記長手軸（Ｚ）に沿って前記軸方向の圧縮力が加えられたときに、前記第１の側部（３）が前記第２の側部（４）と接触することによって前記容器の内部体積を低減させ、
前記圧縮機（Ｐ）は
−  前記折り畳み可能な熱可塑性容器の前記底部に対する載置表面となるように設計された表面を有する少なくとも１つの下側本体（１１２、２０４、３０４）、
−  前記折り畳み可能な熱可塑性容器の前記周囲溝（１２）より上の部分に接触するように設計された少なくとも１つの上側本体（１０８、１１６、１１８、１１９、２０２、２１２、３０８）を含み、
よって前記折り畳み可能な熱可塑性容器は前記少なくとも１つの下側本体（１１２、２０４、３０４）および前記少なくとも１つの上側本体（１０８、１１６、１１８、１１９、２０２、２１２、３０８）によって直立位置にて保持されることができ、前記圧縮機（Ｐ）はさらに
−  前記第１の側部（３）を前記第２の側部（４）と接触させて前記折り畳み可能な熱可塑性容器の内部体積を低減させるために前記軸方向の圧縮力を加えるために、前記少なくとも１つの下側本体（１１２、２０４、３０４）および／または前記少なくとも１つの上側本体（１０８、１１６、１１８、１１９、２０２、２１２、３０８）を始動させるための始動手段を含む、装置。
【請求項２】
前記圧縮機は回転型であり、回転軸の周りを回転するように適合されており、かつ円形パターンに配置された複数の下側本体（１１２）および複数の上側本体（１０８、１１６、１１８、１１９）が設けられており、各上側本体（１０８、１１６、１１８、１１９）はそれぞれの下側本体（１１２）と実質的に整列される、請求項１に記載の装置。
【請求項３】
前記軸方向の圧縮力を加えるために、前記回転軸と平行な方向に沿って前記下側本体（１１２）を逐次的に持ち上げるように構成された第１の始動手段、および／または前記方向に沿って前記上側本体（１０８、１１６、１１８、１１９）を逐次的に下げるように構成された第２の始動手段が提供される、請求項２に記載の装置。
【請求項４】
前記第１の始動手段および／または前記第２の始動手段は、それぞれのカム機構を含む、請求項３に記載の装置。
【請求項５】
前記軸方向の圧縮力を加えるために、各上側本体は前記容器の前記円形の上側端部に接触するように適合されたロッド（１０８）を含むか、または各上側本体は前記容器の前記ネックリング（５２）または前記ショルダーに接触するように適合されたクランプ手段（１１６、１１８）を含む、請求項２〜４のいずれか一項に記載の装置。
【請求項６】
前記容器の前記直立位置を保持することに寄与するために位置決め手段（１１９、１２０）が提供される、請求項５に記載の装置。
【請求項７】
前記少なくとも１つの下側本体は１つの下側コンベヤ（２０４）であり、前記少なくとも１つの上側本体は１つの上側コンベヤ（２０２、２１２）であり、前記下側コンベヤ（２０４）および前記上側コンベヤ（２０２、２１２）は、使用中に複数の折り畳み可能な熱可塑性容器に対する進行方向（Ｔ）を定める、請求項１に記載の装置。
【請求項８】
前記上側コンベヤ（２０２）には前記下側コンベヤ（２０４）と平行な直線部分（２１０）と、前記直線部分（２１０）に関して傾斜されかつ隣接する傾斜した部分（２０６）とが設けられ、前記傾斜した部分（２０６）において前記下側コンベヤ（２０４）と前記上側コンベヤ（２０２）との間の距離が徐々に減少して前記直線部分（２１０）において最小距離に達するように構成されることによって、容器が前記直線部分（２１０）に到達したときに前記軸方向の圧縮力が加えられ、前記始動手段は前記上側コンベヤおよび下側コンベヤを始動するモーターである、請求項７に記載の装置。
【請求項９】
前記軸方向の圧縮力を複数の折り畳み可能な熱可塑性容器に同時に加えるために、前記始動手段は前記進行方向（Ｔ）に対して実質的に垂直な方向に沿って前記上側コンベヤ（２１２）を下げるように設計される、請求項７に記載の装置。
【請求項１０】
前記少なくとも１つの下側本体は１つのコンベヤ（３０４）であり、
前記軸方向の圧縮力を加えるために、前記上側本体は前記容器の前記円形の上側端部または前記容器のキャップに当接するように適合されたロッド（３０８）、または前記容器の前記ネックリング（５２）または前記ショルダーに接触するように適合されたクランプを含む、請求項１に記載の装置。
【請求項１１】
前記圧縮機は前記周囲溝（１２）を冷却するための冷却手段を含む、請求項１〜１０のいずれか一項に記載の装置。
【請求項１２】
高温充填または中温充填プロセスであって、請求項１〜１１のいずれか一項に記載の装置が提供されており、前記プロセスは、前記圧縮機（Ｐ）によって１つ以上の折り畳み可能な容器に同時または逐次的に前記軸方向の圧縮力を加えるステップを含む、高温充填または中温充填プロセス。
【請求項１３】
以下のステップ、
−  前記ブロー成形機（Ｂ）によって、複数の折り畳み可能な熱可塑性容器を生産するステップ、
−  前記圧縮機（Ｐ）によって、前記折り畳み可能な熱可塑性容器に前記軸方向の圧縮力を同時または逐次的に加えるステップ、
−  前記充填機（Ｆ）によって、前記折り畳み可能な熱可塑性容器を充填するステップを含む、請求項１２に記載の高温充填または中温充填プロセス。
【請求項１４】
以下のステップ、
−  前記ブロー成形機（Ｂ）によって、複数の折り畳み可能な熱可塑性容器を生産するステップ、
−  前記充填機（Ｆ）によって、前記折り畳み可能な熱可塑性容器を充填するステップ、
−  前記圧縮機（Ｐ）によって、前記折り畳み可能な熱可塑性容器に前記軸方向の圧縮力を同時または逐次的に加えるステップ、
−  前記キャッピング機（Ｃ）によって、前記折り畳み可能な熱可塑性容器をキャッピングするステップを含む、請求項１２に記載の高温充填または中温充填プロセス。
【発明の詳細な説明】
【技術分野】
【０００１】
本発明は、周囲温度より高い温度にて液体が充填されるように設計された可塑性容器、特に高温または中温充填のために設計された熱可塑性ボトルに対する装置およびプロセスに関する。
【背景技術】
【０００２】
高温充填および中温充填プロセスは、食品および飲料業界において周知である。こうしたプロセスにおいては、容器に比較的高温の内容物が充填される。たとえば、中温充填プロセスにおいては典型的に６０〜８０℃の温度の液体がボトルに充填されるのに対し、高温充填プロセスにおいては典型的に８０〜９２℃の温度の液体がボトルに充填される。充填動作の後、ボトルはキャッピングされ、ボトルおよびキャップが熱で滅菌されるように傾けられる。次いでボトルは冷却される。中温または高温の液体は、冷却されるときに真空を生じる。真空圧は典型的に液体温度の低減に関係する。ボトルの変形または収縮を回避するために、この真空状態を補償する必要がある。たとえばポリエチレンテレフタラート（ＰＥＴ：Ｐｏｌｙｅｔｈｙｌｅｎｅ  ｔｅｒｅｐｈｔｈａｌａｔｅ）などの可塑性材料でできたボトルにとって、これは典型的な問題である。
【０００３】
したがって、最も一般的に中温および高温充填ボトルは、望ましくない変形を避けるためにボトルを補強するいわゆる真空パネルを有する。この解決策の欠点は、ボトルの生産のために大量の可塑性材料が必要なことである。
【０００４】
近年、代替的な解決策が提案されており、ここでは高温または中温充填のためのボトルに、軸方向の圧縮力がボトルに加えられたときに自身を折り畳むように設計された周囲溝が設けられる。その利点にもかかわらず、特に大量生産の要求を満たす必要があるときには、こうしたボトルの有効利用は簡単ではない。実際にいつ、どのように、どのプロセス条件下でこうした圧縮力を加えるべきかを決定するのは些細なことではない。
【発明の概要】
【課題を解決するための手段】
【０００５】
本発明の目的は、高温または中温充填プロセスのために設計されたボトル、特にボトルに圧縮力が加えられたときに自身を折り畳むかまたは閉鎖するような周囲溝が設けられたボトルに圧縮力を加える機械を含む装置を提供することである。
【０００６】
上述の装置または生産プラントは、高温または中温充填プロセスに対するものである。
【０００７】
本発明の別の目的は、コンパクトで、高効率で、かつ費用対効果の高いこうした装置および／またはこうした機械を提供することである。
【０００８】
本発明の別の目的は、前記ボトルにこうした圧縮力を加えるステップを含む効率的なプロセス、特に高温または中温充填プロセスを提供することである。
【０００９】
本発明は、高温充填または中温充填のための装置によって上述の目的の少なくとも１つを達成し、この装置は
ブロー成形機、充填機、キャッピング機、傾斜機、冷却トンネルを含み、
折り畳み可能な熱可塑性容器に対して、その長手軸に沿った軸方向の圧縮力を加えるように構成された圧縮機が提供され、
前記圧縮機はブロー成形機と充填機との間、もしくは充填機とキャッピング機との間に位置決めされるか、
または充填機が前記圧縮機でもあり、すなわち前記軸方向の圧縮力を加えるように構成されるか、
またはキャッピング機が前記圧縮機でもあり、すなわち前記軸方向の圧縮力を加えるように構成されており、
折り畳み可能な熱可塑性容器は高温充填または中温充填プロセスのために設計されたものであって、
−  ショルダーが設けられた本体、
−  本体の第１の側部における開口部を定める円形の上側端部と、ネックリングとが設けられたネック、
−  本体の第１の側部とは反対の第２の側部における底部面を定める底部を含み、
本体は、ネックと長手軸に沿った容器の中央との間に周囲溝を有し、
この周囲溝はネックに対して近位の第１の側部と、ネックから遠位の第２の側部とを含み、
この周囲溝によって、長手軸に沿って軸方向の圧縮力が加えられたときに、第１の側部が第２の側部（４）と接触することによって容器の内部体積を低減させ、
圧縮機は
−  折り畳み可能な熱可塑性容器の底部に対する載置表面となるように設計された表面を有する少なくとも１つの下側本体、
−  折り畳み可能な熱可塑性容器の周囲溝より上の部分に接触するように設計された少なくとも１つの上側本体を含み、
よって折り畳み可能な熱可塑性容器は少なくとも１つの下側本体および少なくとも１つの上側本体によって直立位置にて保持されることができ、圧縮機はさらに
−  第１の側部を第２の側部と接触させて折り畳み可能な熱可塑性容器の内部体積を低減させるために前記軸方向の圧縮力を加えるために、少なくとも１つの下側本体および／または少なくとも１つの上側本体を始動させるための始動手段を含む。
【００１０】
この圧縮機は複数の熱可塑性の折り畳み可能な容器、特にボトルの制御された変形を達成するために、それらを制御された方式で圧縮することを可能にする。ボトルの圧縮は、同時または逐次的に行われ得る。
【００１１】
圧縮機は押込み機とも名付けられ得る。
【００１２】
圧縮機は、たとえば回転型またはリニア型などであり得る。
【００１３】
回転圧縮機は典型的に高い生産能力を可能にする。好ましくは、たとえばブロー成形機および／または充填機および／またはキャッピング機が回転型であるなど、他の機械も回転型であるような装置または生産プラントにおいて回転圧縮機が用いられる。
【００１４】
リニア圧縮機は典型的により多機能性を可能にする。実際にリニア圧縮機は、異なる方式のボトルを処理するために比較的簡単な調整を必要とする。
【００１５】
加えて本発明は、本発明による装置によって行われる高温充填または中温充填プロセスを提供し、このプロセスは、圧縮機によって１つまたはそれ以上の折り畳み可能な容器に同時または逐次的に前記軸方向の圧縮力を加えるステップを含む。
【００１６】
好ましくは、こうした圧縮機を含む装置は、ボトルを圧縮するため、特に周囲溝を閉じるために必要な力の強度ができる限り低くなるように特定的に設計される。圧縮機は小さい力を加えればよいため、このことは有利には圧縮機が非常にコンパクトかつ効率的であることを意味する。無論このことは費用対効果の高い圧縮機をもたらすことになる。実際にボトルの圧縮を最適化するために、装置レイアウトにおける圧縮機の位置は注意深く選択されている。
【００１７】
本発明の機械、装置、およびプロセスは、容器、特にＰＥＴボトルなどの熱可塑性ボトルの高温充填または中温充填の分野に関する。
【００１８】
特に、本発明の装置は、高温または中温充填のための熱可塑性ボトルを処理するように設計される。こうしたボトルは、軸方向の圧縮力がボトルに加えられたときに自身を折り畳むかまたは閉鎖するような周囲溝が設けられたタイプのボトルである。加えてこうしたボトルには、いわゆる真空パネルは提供されていない。
【００１９】
特に本発明の装置は、圧縮機によってボトルが圧縮されたときに自身の凹所を変化させるような底部が設けられていない熱可塑性ボトルを処理するように設計されている。
【００２０】
この圧縮機は、装置、またはプラント、レイアウトの異なる位置に配置され得る。非限定的な例として、圧縮機はキャッピング機の前、またはブロー成形機と充填機との間、または充填機の直後、またはキャッピング機の後に位置決めされ得る。
【００２１】
排他的ではなく好ましくは、圧縮機はキャッピングされたボトルを冷却するたとえば冷却トンネルなどの冷却手段の前に配置される。したがって圧縮機は、有利にはまだ中温または高温のボトルに力を加える。
【００２２】
一実施形態によると、圧縮機はブロー成形機と充填機との間に配置される。特に、圧縮機はブロー成形機の下流、好ましくはブロー成形機のすぐ下流に配置される。
【００２３】
ブロー成形ステップの後のボトルは中温または高温であるため、このプラント構成は特に有利である。実際に、ブロー成形機のモールドは典型的に１０５〜１１０℃の温度に加熱される。これは押込み動作を、力の強度および加える時間の両方の点で容易にする。押込み動作によって、ボトルが圧縮されるためにそれらの軸方向の高さおよび内部体積が低減する。さらなる利点は、ポリマー鎖がこうした圧縮構成の記憶を保存することである。典型的に、装置はブロー成形機の後に充填機、キャッパー、傾斜手段、および冷却トンネルを含む。したがって、圧縮されたボトルは充填機に移され、そこで高温または中温の液体が充填される。高温の液体によって与えられる熱によって、ボトルが元の形状すなわち圧縮前の形状を回復させることが起こり得る。加えて、ボトルがネックリングにて保持されることによって吊り下げられているとき、液体の重量がボトルの元の形状への回復をもたらすか、またはそれに寄与することが起こり得る。ボトルは次いでキャッパーによってキャッピングされ、次いで傾斜され、次いで冷却トンネルを通過する。典型的に、押込み動作によって与えられた圧縮構成の記憶と、おそらくはボトルの内側の真空圧とによって、冷却トンネル内でボトルは自発的に自身の圧縮構成を回復させる。
【００２４】
別の実施形態によると、圧縮機はキャッピング機の後、好ましくは傾斜手段の後に配置される。特に、圧縮機はキャッピング機の下流、好ましくは傾斜手段の下流に配置される。より好ましくは、圧縮機は傾斜手段のすぐ下流に配置される。
【００２５】
いずれの場合にも、圧縮機には、圧縮されたボトルに水および／または空気などの冷却媒体を噴霧するために適合されたスプレーノズルなどの冷却手段が任意に提供され得る。こうした冷却手段は、折り畳み可能な周囲溝を局所的に冷却するように構成されることが好ましい。実際に、こうした冷却はボトルの圧縮構成を安定化する。加えて、こうした冷却は液体の冷却を開始し、その結果としてボトルの内側に真空が生じ、これはボトルがキャッピングされるときに圧縮構成を安定化することに寄与する。
【００２６】
典型的に、圧縮機の後にはボトルをさらに冷却する冷却トンネルが提供される。
【００２７】
空のボトルまたは充填されたボトルにキャッピングの前に加えられる軸方向の力は、好ましくはネック終端に加えられ得るが、ボトルの頂部にも加えられ得る。ボトルの口の汚染を避けるために、ネック終端への印加が好ましい。
【００２８】
非限定的な例として、軸方向の力がたとえばブロー成形機の後などに空の容器に加えられる場合、そのオーダーは１０ｋｇ未満であるのに対し、容器がキャッピングされた後のオーダーは５０ｋｇ未満である。有利には、すべての実施形態においてボトルの圧縮構成は安定であり、かつ多数のボトルに対して再現可能であり、これは大量生産のために重要である。
【００２９】
従属請求項は、本発明の好ましい実施形態を記載するものである。
【００３０】
以下の図面の助けによって非限定的な例として示される、排他的ではなく好ましい本発明の実施形態の詳細な説明に照らして、本発明のさらなる特徴および利点がより明らかになるだろう。
【図面の簡単な説明】
【００３１】
【図１】本発明による圧縮機の実施例を概略的に示す図である。
【図２】本発明による圧縮機の別の実施例を概略的に示す図である。
【図３】本発明による圧縮機の別の実施例を概略的に示す図である。
【図４】本発明による圧縮機の別の実施例を概略的に示す図である。
【図５】本発明による圧縮機の別の実施例を概略的に示す図である。
【図６】本発明による圧縮機の別の実施例を概略的に示す図である。
【図７】本発明による圧縮機の別の実施例を概略的に示す図である。
【図８】本発明による圧縮機の別の実施例を概略的に示す図である。
【図９】本発明による圧縮機の別の実施例を概略的に示す図である。
【図１０】本発明による圧縮機の別の実施例を概略的に示す図である。
【図１１】本発明による圧縮機の別の実施例を概略的に示す図である。
【図１２】本発明による装置レイアウトの実施例を概略的に示す図である。
【図１３】本発明による装置レイアウトの別の実施例を概略的に示す図である。
【図１４】本発明による装置レイアウトの別の実施例を概略的に示す図である。
【図１４ａ】本発明による装置レイアウトの別の実施例を概略的に示す図である。
【図１５】周囲溝が設けられたボトルの詳細部の断面輪郭を示す図であって、外部圧縮力を加えることによる折り畳みの順序を示す。
【図１６】図１５によるボトルの一部の長手方向断面輪郭および拡大した詳細を示す図である。
【図１７】ボトルの別の実施例の一部の長手方向断面輪郭および拡大した詳細を示す図である。
【図１８】実施例によるボトルの一部の長手方向断面輪郭および拡大した詳細を示す図である。
【図１９】実施例によるボトルの一部の長手方向部分および横断面を示す図である。
【図２０】実施例によるボトルの一部の長手方向部分および横断面を示す図である。
【図２１】実施例によるボトルの一部の長手方向部分および横断面を示す図である。
【発明を実施するための形態】
【００３２】
図面における同じ番号および同じ参照文字は、同じ素子または構成要素を識別するものである。
【００３３】
本発明は、自身を折り畳むかまたは閉鎖し得るような周囲溝が設けられた、特に好ましくはＰＥＴでできたボトルなどの容器のための圧縮機を含む装置を提供する。
【００３４】
一般的に、この圧縮機は
−  容器の底部に対する載置表面となるように設計された表面を有する少なくとも１つの下側本体１１２、２０４、３０４、
−  容器の周囲溝１２より上の部分に接触するように設計された少なくとも１つの上側本体１０８、１１６、１１８、１１９、２０２、２１２、３０８を含み、
よって容器は少なくとも１つの下側本体１１２、２０４、３０４および少なくとも１つの上側本体１０８、１１６、１１８、１１９、２０２、２１２、３０８によって直立位置にて保持されることができ、圧縮機はさらに
−  周囲溝１２を閉じるために容器の長手軸Ｚと平行な方向に沿って作用する軸方向の圧縮力を加えるために、少なくとも１つの下側本体１１２、２０４、３０４および／または少なくとも１つの上側本体１０８、１１６、１１８、１１９、２０２、２１２、３０８を始動させるための始動手段を含む。たとえば図１５〜２１によるボトルなどのボトルが圧縮機によって処理されるとき、近位直線側部３を遠位直線側部４と接触させて容器の内部体積を低減させるために軸方向の圧縮力が加えられる。
【００３５】
よって、圧縮機はボトルに軸方向の圧縮力、すなわち各ボトルの長手軸に沿って作用する力を加えるように構成される。特に、圧縮機は周囲溝に自身を折り畳ませるか、または閉鎖させるように構成される。よって、圧縮機はボトルの構成または形状を変える働きをする。各ボトルは元の構成から圧縮構成になる。元の構成とはブロー成形動作の直後のボトルに想定される構成であり、圧縮構成とは自身を折り畳んだ周囲溝を有する構成である。このことは、圧縮構成のボトルの高さすなわち軸方向の長さおよび内部体積が、元の構成での高さおよび体積よりも小さいことを意味する。特に、圧縮構成のボトル全体の高さは、元の構成における全体の高さよりも低い。
【００３６】
圧縮機は、たとえば回転型またはリニア型などであり得る。
【００３７】
典型的に、回転圧縮機は、ボトルが上側および下側本体によって直立位置に保持されているときに、ボトルの長手軸Ｚと実質的に平行な回転軸の周りを回転するように適合される。
【００３８】
回転圧縮機の実施例を図１に示す。なお、以下の図面では本発明を理解するために有用な構成要素のみが示されている。
【００３９】
回転圧縮機は２つの平行な間隔を置かれた支持体、特に上側支持体１０２および下側支持体１０４を含む。たとえば、これらの支持体１０２、１０４はディスク形状である。上側支持体１０２には、円形パターンに配置された複数の貫通孔１０６が設けられる。各貫通孔１０６内にロッド１０８またはマンドレルが配置され、上側支持体１０２から下側支持体１０４に向かって突出している。代替的には、貫通孔の代わりにリニアガイドが提供され得る。各ロッド１０８には上側支持体１０２からの遠位に端部１１０が設けられ、この端部１１０はボトル５０の口の円形の上側端部に当接し得る。下側支持体１０４には、円形パターンに配置された複数のベースプレート１１２が設けられる。各ベースプレート１１２はそれぞれのロッド１０８と整列されており、ベースプレート１１２の数はロッド１０８の数に等しい。ベースプレート１１２は、下側支持体１０４から上側支持体１０２に向かって突出している。各ベースプレート１１２は下側支持体１０４からの遠位に表面１１４を有し、この表面１１４はボトル５０の底部に対する載置表面である。各ボトル５０は、それぞれのロッド１０８とベースプレート１１２との間の位置に配置されて保持され得る。
【００４０】
回転圧縮機は、ボトルを押すように、すなわちボトルに逐次的に軸方向の圧縮力を加えるように設計および構成される。特に、回転圧縮機は矢印Ｒの方向に鉛直回転軸の周りを回転する。以下に説明されるとおり、ロッド１０８および／またはベースプレート１１２の鉛直運動を始動させるカム機構が提供される（図示せず）。
【００４１】
いくつかのボトル（左手側）は元の構成で、すなわち圧縮または押込み力を加える前の構成で示されており、いくつかのボトル（右手側）は圧縮構成で、すなわち周囲溝を閉じる押込み力を加えた後の構成で示されている。
【００４２】
前述のとおり、ボトル５０を逐次的に押すために、ロッド１０８および／またはベースプレート１１２は動き得る。たとえば、ベースプレート１１２は鉛直上向きに上側支持体１０２に向かって動き得るのに対し、ロッド１０８は位置が固定されており、ベースプレート１１２によって加えられる押込み力とは反対に作用する。代替的に、ロッド１０８は鉛直下向きに下側支持体１０４に向かって動き得るのに対し、ベースプレート１１２は位置が固定される。代替的に、ロッド１０８とベースプレート１１２とは互いに向かって動き得る。典型的に、ロッド１０８および／またはベースプレート１１２は予め定められた長さだけ動くように設計される。たとえば、ロッド１０８のみまたはベースプレート１１２のみの運動が提供されるとき、ロッド１０８またはベースプレート１１２は４〜８ｍｍに含まれる長さだけ移動するように設計される。ロッド１０８およびベースプレート１１２の両方の運動が提供されるとき、ロッド１０８およびベースプレート１１２の各々は５〜７ｍｍに含まれる長さだけ移動するように設計される。
【００４３】
加えて圧縮機は、ロッドおよび／またはベースプレートの運動を始動させるための好適な始動手段を含む。特に、ロッドおよび／またはベースプレートの運動を始動させるカム機構を始動させるための始動手段が提供され得る。
【００４４】
図１の圧縮機は、空のボトルを押すときを示している。代替的に、図２に示すとおり、同じ圧縮機が充填されたボトルを押すこともできる。
【００４５】
図３は、図１の回転圧縮機の代替的変形を示す。図３の圧縮機は付加的に、各ボトル５０に対するクランプ１１６またはグリッパーを含む。特に、各クランプ１１６は、ボトルのネックリング５２のすぐ上に位置する部分をクランプするように設計される。なお、当業者はネックリングの意味を容易に理解できる。クランプ１１６は任意には、軸方向の圧縮力を加えるために下向きに動かされてネックリング５２に作用できる。図４に示される変形において、図３の圧縮機にはロッド１０８が設けられない。ロッド１０８が設けられないとき、ボトル５０の口の任意の起こり得る汚染が回避される。各ボトル５０の圧縮は、それぞれのベースプレート１１２および／またはクランプ１１６の鉛直運動によって達成され得る。クランプ１１６が特に下向きに動いてネックリング５２に作用するように設計されるとき、クランプ１１６の運動を始動させるための好適な始動手段が提供される。
【００４６】
図５は、図４の回転圧縮機の代替的変形を示す。図５の圧縮機も、各ボトル５０に対するクランプ１１８を含む。各クランプ１１８は、各ボトル５０のネックリング５２をクランプするように設計される。特に、各クランプ５０は、ボトルのネックリング５２のすぐ上に位置する部分と、ボトルのネックリング５２のすぐ下の部分とをクランプするように設計される。各ボトルの圧縮は、それぞれのベースプレート１１２および／またはクランプ１１８の鉛直運動によって達成され得る。クランプ１１８が特に下向きに動くように設計されるとき、クランプ１１８の運動を始動させるための好適な始動手段が提供される。
【００４７】
図６は、図１の回転圧縮機の代替的変形を示す。図６の圧縮機は付加的に、上側支持体１０２と下側支持体１０４との間に配置されたホイール１２０を含む。ホイール１２０には複数の溝１２２またはシートが設けられる。各溝１２２はボトル５０を収容でき、特に押込み力を加える際にボトル５０を直立位置に保持することに寄与する。典型的には、ホイール１２０も上側支持体１０２および下側支持体１０４と一緒に回転する。
【００４８】
図７は、図３の回転圧縮機の代替的変形を示す。図７の圧縮機も、各ボトル５０に対するクランプ１１９を含む。各クランプ１１９は、各ボトル５０のネックリング５２の下のショルダーに接触するように設計される。各ボトル５０の圧縮は、それぞれのベースプレート１１２および／またはロッド１０８の鉛直運動によって達成され得る。各ボトルのショルダーに作用するクランプ１１９は、ボトルを誘導するように設計される。特にクランプ１１９は、ボトルの直立位置を保持することに寄与する。クランプ１１９が特に下向きに動くように設計されるとき、クランプ１１９の運動を始動させるための好適な始動手段が提供される。
【００４９】
なお、ロッドを含まない変形において、上側支持体は必要ない。この場合、クランプまたはグリッパーは下側支持体に保持され得る。たとえば、クランプが設けられた中央支持構造が下側支持体に保持され得る。
【００５０】
図８は、リニア圧縮機の実施例を示す。リニア圧縮機は、複数のボトル５０が載り得る下側コンベヤベルト２０４を含む。特に、各ボトルの底部が下側コンベヤベルト２０４の上側表面に載る。加えて、リニア圧縮機は上側コンベヤベルト２０２を含む。上側コンベヤベルト２０２および下側コンベヤベルト２０４はモーター付きである。好ましくは上側コンベヤベルト２０２および下側コンベヤベルト２０４は同期しており、すなわち同じ速度で動く。上側コンベヤベルト２０２および下側コンベヤベルト２０４は、使用中にボトルに対する同じ進行方向Ｔを定める。なお、リニア圧縮機を含む実施形態において、上側コンベヤベルトおよび／または下側コンベヤベルトは、たとえばチェーンコンベヤまたは類似物などの異なるタイプのコンベヤであってもよい。
【００５１】
上側コンベヤベルト２０２には、傾斜した部分２０６またはステップが設けられる。特に、上側コンベヤベルト２０２には、傾斜した部分２０６によって接続された実質的に直線状の部分２０８、２１０が設けられる。任意には第１の部分２０８が設けられず、すなわち傾斜した部分２０６と第２の直線部分２１０とのみが設けられる。
【００５２】
第１の部分２０８および上側の部分２１０の下側表面は、下側コンベヤベルト２０４の上側表面と実質的に平行である。下側コンベヤベルト２０４の上側表面から第１の部分２０８（左手側、図８）の下側表面までの距離は、下側コンベヤベルト２０４の上側表面から第２の部分２１０（右手側、図８）の下側表面までの距離よりも大きい。加えて傾斜した部分２０６においては、上側コンベヤベルト２０２の下側表面と下側コンベヤベルト２０４の上側表面との間の距離が徐々に減少する。たとえばステップ２０６は、第１の部分２０８または同等に第２の部分２１０の下側表面と鋭角βを形成し、この鋭角βは好ましくは６０°未満であり、たとえば両端値を含む１°から４５°の範囲などに含まれる。ステップ２０６は、ボトルが傾くことを防ぐ。例として、高さ１８９ｍｍ（元の構成）を有する容器を圧縮する必要があるとき、下側コンベヤベルト２０４の上側表面から第１の部分２０８（提供時）の下側表面までの距離は１８９ｍｍより大きく、下側コンベヤベルト２０４の上側表面から第２の部分２１０の下側表面までの距離は１７７〜１７９ｍｍに含まれる。
【００５３】
一般的に、特に最終体積５００ｍｌを有するボトルに対する元の構成と圧縮構成との高さの差は１０〜１２ｍｍ、好ましくは最大１５ｍｍであることが好ましい。
【００５４】
このリニア圧縮機は、矢印Ｔで示されるとおり、ボトル５０を第１の部分から第２の部分に向かって進む方向に運搬するように設計されている。よって、元の構成のボトルは第１の部分の下または左側で下側コンベヤベルト２０４の上に置かれることで、各ボトルの口または（ボトルがキャッピングされているときは）キャップの円形の上側端部は、第１の部分２０８の下側表面に接触することなく、その近くにある。
【００５５】
ボトル５０がステップ２０６に到達すると、ボトルの圧縮が始まる。ボトルがリニア圧縮機を離れるときの安定した形態を確実にするボトルの最適な圧縮を達成するために、第２の部分２１０の長さおよびコンベヤベルト２０２、２０４の進行速度が設計され得る。実際に、ボトル５０の安定した形態を確実にするために、圧縮されたボトルを一定時間第２の部分２１０にとどめることが必要とされることがある。たとえば、各ボトルが１〜５分間に含まれる時間だけ第２の部分２１０にとどまるように、リニア圧縮機が設計され得る。たとえば、容器の最終温度が４５℃未満のときは２分間で十分である。例として、進行速度が約１０ボトル／秒であるとき、第２の部分の長さは約１０〜２０メートルである。図９は、リニア圧縮機の変形を示す。この変形において、上側コンベヤベルト２１２は実質的に直線状であり、すなわちステップが設けられていない。ボトルの圧縮は、上側コンベヤベルト２１２の鉛直運動によって同時に達成される。
【００５６】
図１０および図１１はリニア圧縮機の別の実施例を示し、このリニア圧縮機は下側支持体３０４とロッド３０８とを含む。ボトルの底部は下側支持体３０４の上側表面に載り得る。ロッド３０８が延在し、鉛直方向すなわち下側支持体３０４の上側表面と実質的に垂直な方向に沿って動くように構成されている。なお、２つ以上のロッドを提供することもでき、この場合のロッドは互いに平行に配置され、かつ同時に動き得る。ロッド３０８には端部３１０が設けられ、この端部３１０はボトル５０の口の円形の上側端部に当接し得る。ロッド３０８の鉛直運動によって、ロッド３０８の下に整列して配置されたボトルの圧縮がもたらされる。下側支持体は好ましくはコンベヤベルトである。代替的に、ロッド３０８は圧縮すべき各ボトルと逐次的に整列されるために、水平方向にも動き得る。
【００５７】
図１０に示されるボトルは空のボトルであり、図１１に示されるボトルは充填されてキャッピングされている。
【００５８】
なお、すべての実施形態において、図面に特定的に示されているものにかかわらず、装置のレイアウトにおける圧縮機の位置によって、圧縮機によって処理されるボトルは空でキャッピングされていないボトルであってもよいし、充填されてキャッピングされていないボトルであってもよい。
【００５９】
すべての実施形態において、圧縮機には、圧縮されたボトルにたとえば水および／または空気などの冷却媒体を噴霧するために適合されたスプレーノズルなどの冷却手段が任意に提供され得る。こうした冷却手段は、折り畳み可能な周囲溝を局所的に冷却するように構成されることが好ましい。実際に、こうした冷却はボトルの圧縮構成を安定化する。加えて、こうした冷却は液体の冷却を開始し、その結果としてボトルの内側に真空が生じ、これは圧縮構成を安定化することに寄与する。
【００６０】
加えて本発明は、高温または中温充填型の装置または生産プラントを提供する。よって、この装置は高温または中温充填プロセスを行うように構成される。図１２、図１３、図１４、および図１４ａは、本発明による装置の実施例を概略的に示すものである。
【００６１】
この装置は典型的に、少なくともブロー成形機（ｂｌｏｗｉｎｇ  ｍａｃｈｉｎｅ）Ｂと、充填機（ｆｉｌｌｉｎｇ  ｍａｃｈｉｎｅ）Ｆと、キャッピング機（ｃａｐｐｉｎｇ  ｍａｃｈｉｎｅ）Ｃと、傾斜手段（ｔｉｌｔｉｎｇ  ｍｅａｎｓ）Ｔと、冷却トンネル（ｃｏｏｌｉｎｇ  ｔｕｎｎｅｌ）ＣＴとを含む。
【００６２】
ブロー成形機Ｂ、充填機Ｆ、およびキャッピング機Ｃは、回転型またはリニア型であり得る。たとえばこうした機械は、それぞれの鉛直の回転軸の周りを回転する回転コンベヤまたはホイールの形で構築され得る。こうした機械の間に、たとえば移送ホイール（ｔｒａｎｓｆｅｒ  ｗｈｅｅｌ）などの１つまたはそれ以上の移送手段ＴＷが提供され得る。加えて、当業者に周知のローディングホイールおよびアンローディングホイールが提供され得る。
【００６３】
ブロー成形機Ｂは、好ましくは射出延伸ブロー成形機である。ブロー成形機Ｂは複数のモールドを含み、プリフォームをブロー成形することによってボトルを生産する。モールドは、たとえば１０５〜１１０℃に含まれる温度に加熱される。典型的に、モールドの加熱は本体区域にて行われる。したがって、ブロー成形プロセスの後、ブロー成形されたボトルはまだ温かい。排他的ではなく典型的に、ブロー成形プロセスの後のボトルは３０〜６０℃に含まれる温度である。
【００６４】
充填機Ｆは、各ボトルに高温または中温の液体を注入する。たとえば、中温充填プロセスにおいては典型的に６０〜７５℃の温度の液体がボトルに充填されるのに対し、高温充填プロセスにおいては典型的に８５〜９２℃の温度の液体がボトルに充填される。
【００６５】
キャッピング機Ｃは、ボトルにキャップを付ける。
【００６６】
キャッピングの後、ボトルは傾斜手段Ｔまたは傾斜機もしくはステーションによって、回転または傾斜される。典型的に、傾斜手段Ｔはリニアコンベヤを含む。例として、傾斜動作はボトルを約９０°の角度だけ回転させるステップを含み、この位置が約３０秒間保たれる。次いでボトルが再び回転されることでボトルは直立し、すなわちキャップを上にした鉛直位置になる。傾斜手段Ｔは当該技術分野において周知であるため、さらに説明することはしない。図示されていないこうした傾斜手段は、典型的にキャッピング機Ｃの後ろに配置される。
【００６７】
冷却トンネルＣＴは典型的に、ボトルを輸送するためのたとえばコンベヤベルトなどの輸送手段を含む。加えて冷却トンネルは、ボトルにたとえば水などの冷却媒体を噴霧するように適合された一連のノズルを含む。好ましくは、ボトルがトンネルに沿って前進するにしたがって、より低い温度の水が噴霧される。
【００６８】
加えてこの装置は、押込み機（ｐｕｓｈｉｎｇ  ｍａｃｈｉｎｅ）とも命名される圧縮機Ｐを含む。圧縮機はボトルに軸方向の圧縮力、すなわち各ボトルの長手軸に沿って作用する力を加えるように構成される。特に、圧縮機は周囲溝に自身を折り畳ませるか、または閉鎖させるように構成される。よって、圧縮機はボトルの構成または形状を変える働きをする。各ボトルは元の構成から圧縮構成になる。元の構成とはブロー成形動作の後のボトルに想定される構成であり、圧縮構成とは自身を折り畳んだ周囲溝を有する構成である。このことは、圧縮構成のボトルの高さすなわち軸方向の長さおよび体積が、元の構成での高さおよび体積よりも小さいことを意味する。圧縮機Ｐは、回転型またはリニア型であり得る。排他的ではなく、たとえば圧縮機は図１〜１１に示される圧縮機の１つであり得る。
【００６９】
第１の実施形態（図１２）によると、ブロー成形機Ｂと充填機Ｆとの間に圧縮機Ｐが配置される。特に、圧縮機Ｐはブロー成形機Ｂの下流、好ましくはブロー成形機Ｂのすぐ下流に配置される。圧縮機Ｐの中にボトルを配置するために、図示されていないローディングホイールおよびアンローディングホイールが提供され得る。
【００７０】
この実施形態において、圧縮機Ｐは好ましくは１０〜６０Ｎ、好ましくは２０〜５０Ｎに含まれる力を加えるように構成される。こうした力が加えられる時間は、好ましくは０．１〜６秒間に含まれる。
【００７１】
この装置は、ボトルをたとえばブロー成形機Ｂから充填機Ｆなど、１つの機械から別の機械に移送するための１つまたはそれ以上の移送ホイールＴＷも任意に含んでもよい。移送手段は回転型またはリニア型であり得る。
【００７２】
図１３に示される別の実施形態によると、圧縮機Ｐはキャッピング機Ｃの後、好ましくは傾斜手段Ｔの後に配置される。特に、圧縮機Ｐはキャッピング機Ｃの下流、好ましくは傾斜手段Ｔの下流に配置される。より好ましくは、圧縮機Ｐは傾斜手段Ｔのすぐ下流に配置される。
【００７３】
この実施形態において、圧縮機Ｐは好ましくは１００〜６００Ｎ、好ましくは３００〜５００Ｎに含まれる力を加えるように構成される。こうした力が加えられる時間は、好ましくは６０〜３００秒間に含まれる。
【００７４】
図示されていない別の実施形態によると、圧縮機は冷却トンネルの後に配置される。特に、圧縮機は冷却トンネルの下流、好ましくは冷却トンネルのすぐ下流に配置される。
【００７５】
この実施形態において、圧縮機は好ましくは１００〜３００Ｎ、好ましくは１２０〜２８０Ｎに含まれる力を加えるように構成される。こうした力が加えられる時間は、好ましくは１０〜１２０秒間に含まれる。
【００７６】
図１４に示されるさらなる実施形態によると、圧縮機Ｐはキャッピング機Ｃの後ろ、かつ傾斜手段Ｔの前に配置される。
【００７７】
図１４ａに示されるさらなる実施形態によると、圧縮機Ｐは充填機Ｆの後ろ、かつキャッピング機Ｃの前に配置される。
【００７８】
さらなる実施形態によると、キャッピング機が圧縮機としても用いられる。
【００７９】
さらなる実施形態によると、充填機が圧縮機としても用いられる。実際にこの場合には、充填機はボトルに軸方向の圧縮力を加えるように構成される。よって、同じ機械がボトルの充填および圧縮の両方を行い得る。ボトルの圧縮は、充填動作の前、途中、または後に行われ得る。
【００８０】
他の実施形態によると、装置の構成またはレイアウトは、非限定的な例として、圧縮機がキャッピング機の前またはキャッピング機の後に配置されるようなものである。加えて圧縮機は、ブロー成形機と充填機との間、または充填機とキャッピング機との間の任意の中間スターホイールにおいて実施され得る。
【００８１】
なおさらなる実施形態によると、ブロー成形機は圧縮機を含むシステムまたは装置とは別個のものである。好ましくは、この場合は図１２〜１４を参照して、ブロー成形機Ｂはリンサーすなわちリンス機に置き換えられ、ボトルは好ましくはエアコンベヤを用いて充填機に供給され、ボトルはブロー成形機またはアンスクランブラーによって供給されている。
【００８２】
代替的に提供されるラインにおいては、圧縮機はリンサーの前に位置決めされて圧縮／リンス／充填／キャッピング装置に一体化されるか、またはスタンドアロン装置としてリンス／充填／キャッピング装置の前に位置決めされ、どちらの構成でも、充填機とブロワーまたはアンスクランブラーとの間に配置されたエアコンベヤによってボトルが供給される。
【００８３】
代替的に、本発明は高温充填または中温充填のための装置を提供し、この装置は
ブロー成形機Ｂ、ブロー成形機Ｂによってボトルを供給されるように適合されたサイロおよび／またはアンスクランブラーを含み、
折り畳み可能な熱可塑性容器に対してその長手軸Ｚに沿った軸方向の圧縮力を加えるように構成された圧縮機Ｐが提供され、
前記圧縮機Ｐはブロー成形機の後の、たとえばブロー成形機とサイロおよび／またはアンスクランブラーとの間などに位置決めされ、圧縮機は好ましくはブロー成形機に直接接続され、折り畳み可能な熱可塑性容器は高温充填または中温充填プロセスに対して設計されており、この折り畳み可能な熱可塑性容器は
−  ショルダーが設けられた本体、
−  本体の第１の側部における開口部を定める円形の上側端部と、ネックリング５２とが設けられたネック１３、
−  本体の第１の側部とは反対の第２の側部における底部面を定める底部を含み、
本体は、ネック１３と長手軸Ｚに沿った容器の中央との間に周囲溝１２を有し、
この周囲溝はネック１３に対して近位の第１の側部３と、ネック１３から遠位の第２の側部４とを含み、
この周囲溝によって、長手軸Ｚに沿って軸方向の圧縮力が加えられたときに、第１の側部３が第２の側部４と接触することによって容器の内部体積を低減させ、
圧縮機Ｐは
−  折り畳み可能な熱可塑性容器の底部に対する載置表面となるように設計された表面を有する少なくとも１つの下側本体１１２、２０４、３０４、
−  折り畳み可能な熱可塑性容器の周囲溝１２より上の部分に接触するように設計された少なくとも１つの上側本体１０８、１１６、１１８、１１９、２０２、２１２、３０８を含み、
よって折り畳み可能な熱可塑性容器は少なくとも１つの下側本体１１２、２０４、３０４および少なくとも１つの上側本体１０８、１１６、１１８、１１９、２０２、２１２、３０８によって直立位置にて保持されることができ、圧縮機Ｐはさらに
−  第１の側部３を第２の側部４と接触させて折り畳み可能な熱可塑性容器の内部体積を低減させるために前記軸方向の圧縮力を加えるために、少なくとも１つの下側本体１１２、２０４、３０４および／または少なくとも１つの上側本体１０８、１１６、１１８、１１９、２０２、２１２、３０８を始動させるための始動手段を含む。
【００８４】
排他的ではなく好ましくは、本発明のすべての実施形態において、ボトルは、ヘッド空間体積が元の構成におけるボトルの総体積の４〜８％となるように充填される。
【００８５】
加えて本発明は、本発明による装置が提供された高温充填または中温充填プロセスを提供し、このプロセスは、圧縮機によって１つまたはそれ以上の折り畳み可能な容器に同時または逐次的に前記軸方向の圧縮力を加えるステップを含む。
【００８６】
たとえば本発明は、以下のステップを順に含む高温充填または中温充填プロセスを提供する。
−  ブロー成形機Ｂによって、複数の折り畳み可能な熱可塑性容器を生産するステップ、
−  圧縮機Ｐによって、折り畳み可能な熱可塑性容器に前記軸方向の圧縮力を同時または逐次的に加えるステップ、
−  充填機Ｆによって、折り畳み可能な熱可塑性容器を充填するステップ。
【００８７】
別の実施例によると、本発明は、以下のステップを順に含む高温充填または中温充填プロセスを提供する。
−  ブロー成形機Ｂによって、複数の折り畳み可能な熱可塑性容器を生産するステップ、
−  充填機Ｆによって、折り畳み可能な熱可塑性容器を充填するステップ、
−  圧縮機Ｐによって、折り畳み可能な熱可塑性容器に前記軸方向の圧縮力を同時または逐次的に加えるステップ、
−  キャッピング機Ｃによって、折り畳み可能な熱可塑性容器をキャッピングするステップ。
【００８８】
非限定的な例として、本発明の圧縮機および装置によって処理されることが好適な容器の実施例を以下に説明する。
【００８９】
それは液体のための折り畳み可能な熱可塑性容器であって、非炭酸化液体の高温充填、中温充填、または低温充填プロセスに好適であり、長手軸Ｚを定めており、この折り畳み可能な熱可塑性容器は
−  本体、
−  本体の第１の側部における開口部が設けられたネック、
−  本体の第１の側部とは反対の第２の側部における底部面を定める底部を含み、
本体は２つの実質的に円錐台形または四角錐台形の部分を有し、それらの小さい方の底面が互いに対向することで、ネックと長手軸Ｚに沿った容器の中間との間に周囲溝を構成し、この周囲溝は長手軸Ｚと同一平面上の第１の面におけるその投影においてＶ形状の輪郭を有し、
このＶ形状の輪郭は、長手軸Ｚの方を指す先端部と、長手軸Ｚに対して垂直の第２の面に関する第１の角度の第１の勾配および第１の長さを有する、ネックに対して近位の近位直線側部と、前記第２の面に関する第２の角度の第２の勾配および第２の長さを有する、ネックに対して遠位の遠位直線側部とを有し、
第２の長さは第１の長さよりも小さく、
かつ第１の角度は第２の角度よりも大きく、
これによって、長手軸Ｚに沿って大気圧からもたらされる力よりも大きな圧縮力が加えられたときに、任意にはこうした圧縮力が加えられたときだけ、近位直線側部と遠位直線側部とが接触することによって容器の内部体積が低減する。
【００９０】
この容器、特にボトルは、たとえばＰＥＴなどの熱可塑性材料でできている。このボトルは、圧力の変動による制御されない収縮効果を回避するように設計される。
【００９１】
ボトルの内部圧力変動を補償するために、軸方向の外力、すなわちボトルの長手軸Ｚに沿って作用する力を加えることによって、ボトルの内部体積および高さが制御された方式で低減されるようにボトルが設計される。ボトルの高さの減少によるこの体積の低減は内圧の増加を生じ、これによって、包装された製品のライフサイクルのさまざまな段階において含まれる液体の温度または体積変動によって起こり得る任意の圧力低減が補償され得る。もし前述のような圧力低減がなければ、ボトルはこの体積の低減によってより高い鉛直頂部荷重に耐え得る。この種のボトルは、ボトルの長手軸Ｚに対して横方向に、円筒形、正方形、八角形、多角形の断面などの異なる断面を有し得る。非限定的な例として、ボトルは５００ｍｌから１０００ｍｌの範囲の体積を有し得る。たとえば、本発明の容器は５００ｍｌの体積と、１８〜２２ｇ、好ましくは１８〜２０ｇ、たとえば１９ｇなどの重量とを有し得る。
【００９２】
本文書において、以下の説明の一部は、特に長手軸Ｚと同一平面上の面などの面への投影を参照して行われることになる。
【００９３】
図１５および図１６を参照して、第１の実施例によると、ボトルは長手軸Ｚを定め、１つの側部における開口部を有するネック１３を有する本体と、ネック１３の反対側でボトルを閉じて底部面を定める底部とを含む。本体はネック１３に対して近位の部分９と、ネック１３から遠位の部分１０とを有する。近位９および遠位１０部分の間に、２つの実質的に円錐台形の本体部分が存在し、それらの小さい方の底面が互いに対向している。言い換えると、ネック１３に対して近位の円錐台形部分の大きい方の底面は近位部分９の方を指しており、ネック１３から遠位の円錐台形部分の大きい方の底面は遠位部分１０の方を指している。この方式で周囲溝１２が形成され、この周囲溝１２はこの実施例においては円周方向の溝であり、長手軸Ｚと同一平面上の面におけるその投影においてＶ形状の輪郭を有し、その先端部５は長手軸Ｚの方を指している。好ましくは、この周囲溝は容器の「ショルダー」、すなわちボトルのネックに対して近位の湾曲部分に位置する。Ｖ形状の輪郭は２つの直線側部、すなわちネック１３に対して近位の第１の直線側部３と、ネック１３から遠位の第２の直線側部４とを有する。したがって周囲溝１２は、ボトルの外側から先端部５にかけて減少する長手軸Ｚに沿った長さを有する間隙である。この実施例において、先端部はリングを定める内部リブ５であり、長手軸Ｚと同一平面上の面におけるその投影において０〜３ｍｍに含まれる半径Ｒｉを有する円の円弧として成形される。
【００９４】
近位側部３は長手軸Ｚに対して垂直な面Ｘとの角度α２の勾配７を有し、遠位側部４は面Ｘとの角度α１の勾配８を有する。たとえば、面Ｘは内部リブ５の円の円弧の中間点を含む面である。
【００９５】
周囲溝の開口角はαによって示され、次の等式によって定められる。
α＝α１＋α２
ここでα２＞α１
【００９６】
前述のとおり、近位３および遠位４側部は直線状である。近位側部は長さｄ１を有し、遠位側部は長さｄ２を有し、ｄ２はｄ１よりも小さい。長さｄ１およびｄ２は直線側部の実際の長さ、すなわち図１６に示されている長さである。長手軸Ｚに対して垂直な方向に沿った周囲溝の深さは、ｄ２およびｄ１によって実質的に定められる。
【００９７】
近位部分９および遠位部分１０は、図１６において円の円弧として示されている湾曲部分によって、本体のそれぞれの円錐台形部分に好ましくは直接接続される。遠位部分１０とそれぞれの円錐台形部分との間の湾曲部分は、参照番号６によって示される。近位部分９とそれぞれの円錐台形部分との間の湾曲部分は、参照番号６’によって示される。好ましくは、湾曲部分６’に対する長手軸Ｚと平行な接線は、湾曲部分６または遠位直線側部４と交差する。
【００９８】
図１５は、長手軸Ｚに沿ってたとえばネック１３などにおいて中央に外部圧縮力が加えられたときのボトルの折り畳みを示す。ボトルの元の位置または形態は参照番号１の実線によって示され、最終位置または形態は参照番号２の破線によって示されている。こうした圧縮力を加えることによって、周囲溝１２が位置および形状を変える。特に最終位置２において、周囲溝１２は自身を折り畳んでいる。約９０〜１３０Ｎの外力を加えることによって、好ましくは内側リブ５の形状の機能によって、近位側部３と遠位側部４とが合併し、すなわち図１の参照１１に示されるとおりに互いに接触する。外部圧縮力を加えることは、周囲溝１２の折り畳みが制御されることを保証する。外力がボトルに漸進的に加えられるとき、遠位側部４において一連の折り畳みが開始し、遠位側部４はボトルの底部に向かって屈曲して反転点から始まる元の勾配を反転し、内側リブ５はより速い速度で動いて、運動の最後には可能な最低位置に到達し、すなわち折り畳み前の元の位置に対してネック１３からより遠距離であるような長手軸Ｚに沿った高さとなる。近位側部３は、その形状および勾配をほぼ維持しながら下に動く。近位側部３に押されて、湾曲部分６はその曲率半径を低減させながら元の位置に対して長手軸Ｚから半径方向に離れる方に動き、このやり方で図１５において参照番号５６で示されるとおりに形状を変え、このやり方でボトルにより多くの安定性および剛性を与えることを助ける。周囲溝１２の構造および加えられた力によってスナップ作用がもたらされ、それが溝間隙の突然の折り畳みを引き起こし、図１５の最終位置２の破線で示されるとおり、溝間隙は自身を閉じる。こうした最終位置２は安定平衡状態にあり、たとえば牽引力などの外力のみがボトルを元の位置１にさせ得る。溝の閉鎖は、突然の折り畳みが起こるまで元の位置１から位置２に向かって行く連続的な下向きの運動、すなわち容器の底部に向かう運動としての外力によって平滑に達成される。この折り畳みは典型的に不可逆的であり、軸方向の荷重すなわち圧縮力を除去した後も残る。外部圧縮力が加えられるとき、溝が折り畳まれてポリマーのいわゆる「記憶」を破壊し、反対方向の別の外力すなわち牽引力の介入なしには溝を元の形に戻せなくする。ボトル内の圧力低減があるときは、元の形状を再取得するために加えなければならない力が大きくなることは明白である。
【００９９】
有利には、たとえば本発明の圧縮可能なボトルにおける湾曲部分６に隣接する直線側部４などの、湾曲部分に隣接する直線側部によって効果的なスナップ機構を達成できることは注目に値する。実際に、最終位置２でとる形態が参照番号５６（図１）で示されている湾曲部分６は、図１の参照番号１１の合併した直線側部に対して、典型的に牽引力しかボトルを元の位置１に戻せないような力を働かせる。さらに、これらの合併した直線側部１１は直線状であるため、参照番号５６で示される湾曲部分が働かせる力に耐え得る。直線部分３に隣接する湾曲部分６’を有することも有利である。
【０１００】
図１７を参照して、第２の実施例によると、ボトルは長手軸Ｚを定め、１つの側部における開口部を有するネック１３を有する本体と、ネック１３の反対側でボトルを閉じて底部面を定める底部とを含む。本体はネック１３に対して近位の部分９と、ネック１３から遠位の部分１０とを有する。近位９および遠位１０部分の間に、２つの実質的に円錐台形の本体部分が存在し、それらの小さい方の底面が互いに対向している。言い換えると、ネック１３に対して近位の円錐台形部分の大きい方の底面は近位部分９の方を指しており、ネック１３から遠位の円錐台形部分の大きい方の底面は遠位部分１０の方を指している。この方式で周囲溝３２が形成され、この周囲溝３２はこの実施例においては円周方向の溝であり、長手軸Ｚと同一平面上の面におけるその投影においてＶ形状の輪郭を有し、その先端部２５は長手軸Ｚの方を指している。好ましくは、この周囲溝は容器の「ショルダー」、すなわちボトルのネックに対して近位の湾曲部分に位置する。Ｖ形状の輪郭は２つの直線側部、すなわちネック１３に対して近位の第１の直線側部２３と、ネック１３から遠位の第２の直線側部２４とを有する。したがって周囲溝３２は、ボトルの外側から先端部２５にかけて減少する長手軸Ｚに沿った長さを有する間隙である。この実施例において、先端部はリングを定める内部リブ２５であり、長手軸Ｚと同一平面上の面におけるその投影における０〜３ｍｍに含まれる長さｈｉの直線セグメントとして成形され、周囲溝３２に台形の部分に似た断面形状を与える。
【０１０１】
近位側部２３は長手軸Ｚに対して垂直な面Ｘとの角度α４の勾配２７を有し、遠位側部２４は面Ｘとの角度α３の勾配２８を有する。
【０１０２】
周囲溝の開口角はα１０によって示され、次の等式によって定められる。
α１０＝α３＋α４
ここでα４＞α３
【０１０３】
前述のとおり、近位２３および遠位２４側部は直線状である。近位側部は長さｄ３を有し、遠位側部は長さｄ４を有し、ｄ４はｄ３よりも小さい。長さｄ３およびｄ４は直線側部の実際の長さ、すなわち図１７に示されている長さである。長手軸Ｚに対して垂直な方向に沿った周囲溝の深さは、ｄ４およびｄ３によって実質的に定められる。
【０１０４】
近位部分９および遠位部分１０は、図１６において円の円弧として示されている湾曲部分によって、本体のそれぞれの円錐台形部分に好ましくは直接接続される。遠位部分１０とそれぞれの円錐台形部分との間の湾曲部分は、参照番号２６によって示される。近位部分９とそれぞれの円錐台形部分との間の湾曲部分は、参照番号２６’によって示される。好ましくは、湾曲部分２６’に対する長手軸Ｚと平行な接線は、湾曲部分２６または遠位直線側部４と交差する。
【０１０５】
折り畳み機構は、ボトルの第１の実施例と実質的に同じである。好ましくは、第１および第２の記載の実施例の両方において、溝は次の式によって与えられる高さｈに位置する。
ｈＴｏｔ２＜ｈ＜４／５ｈＴｏｔ
ここでｈはボトルの底部面から測定された周囲溝の位置の高さを示し、ｈＴｏｔは加えられた外力によるボトルの折り畳み前のボトルの元の合計高さを示す。
【０１０６】
好ましくは、周囲溝はネックと、ボトルの最大直径の部分との間に位置する。
【０１０７】
図１８を参照して、ボトルの第１および第２の実施例の変形によると、遠位側部から始まる周囲溝の折り畳みを容易にするために、遠位部分１０と円錐台形部分とを接続する湾曲部分３６が波形にされている。
【０１０８】
図１９を参照して、第１および第２の実施形態の変形によると、近位側部３３および遠位側部３４に刻みが付けられる。たとえば複数の突出するリブが提供されることで、近位および直線側部の表面が実質的に波形にされ得る。近位および遠位側部のリブは直線状であり、ともに噛み合うことができる。
【０１０９】
図２０を参照して、ボトルの第１および第２の実施例の変形によると、近位側部４３および遠位側部はセグメントに分けられる。たとえば複数のリブが提供されることで、近位および直線側部の表面上に複数の実質的に矩形形状の区間が定められ得る。
【０１１０】
図２１を参照して、ボトルの第１および第２の実施例の変形によると、周囲溝の内部リブ４２は、長手軸Ｚに対して垂直な面におけるその投影において波状の円形の形にされる。
【０１１１】
図１９〜２１に示されるこれらの異なる構成は、外力が必然的に周囲溝においてボトルの折り畳みを達成するようにさせる剛性を与えることを助ける。
【０１１２】
本発明の機械および装置は、ボトルに圧縮力が加えられたときに折り畳まれるか、または閉じるように設計された１つまたはそれ以上の周囲溝が設けられた他のボトルとともに用いられ得ることが注目に値する。
【図１】
2019532879.tif 000003
【図２】
2019532879.tif 000004
【図３】
2019532879.tif 000005
【図４】
2019532879.tif 000006
【図５】
2019532879.tif 000007
【図６】
2019532879.tif 000008
【図７】
2019532879.tif 000009
【図８】
2019532879.tif 000010
【図９】
2019532879.tif 000011
【図１０】
2019532879.tif 000012
【図１１】
2019532879.tif 000013
【図１２】
2019532879.tif 000014
【図１３】
2019532879.tif 000015
【図１４】
2019532879.tif 000016
【図１４ａ】
2019532879.tif 000017
【図１５】
2019532879.tif 000018
【図１６】
2019532879.tif 000019
【図１７】
2019532879.tif 000020
【図１８】
2019532879.tif 000021
【図１９】
2019532879.tif 000022
【図２０】
2019532879.tif 000023
【図２１】
2019532879.tif 000024
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
高温充填または中温充填のための装置であって、
ブロー成形機（Ｂ）、充填機（Ｆ）、キャッピング機（Ｃ）、傾斜機（Ｔ）、冷却トンネル（ＣＴ）を含み、
折り畳み可能な熱可塑性容器に対してその長手軸（Ｚ）に沿った軸方向の圧縮力を加えるように構成された圧縮機（Ｐ）が提供され、
前記圧縮機（Ｐ）は前記ブロー成形機（Ｂ）と前記充填機（Ｆ）との間、もしくは前記充填機（Ｆ）と前記キャッピング機（Ｃ）との間、もしくは前記冷却トンネル（ＣＴ）の後、に位置決めされるか、
または前記充填機は前記圧縮機でもあるか、
または前記キャッピング機は前記圧縮機でもあり、
前記折り畳み可能な熱可塑性容器は高温充填または中温充填プロセスのために設計されたものであって、
−  ショルダーが設けられた本体、
−  前記本体の第１の側部における開口部を定める円形の上側端部と、ネックリング（５２）とが設けられたネック（１３）、
−  前記本体の前記第１の側部とは反対の第２の側部における底部面を定める底部を含み、
前記本体は、前記ネック（１３）と前記長手軸（Ｚ）に沿った前記容器の中央との間に周囲溝（１２）を有し、
前記周囲溝は前記ネック（１３）に対して近位の第１の側部（３）と、前記ネック（１３）から遠位の第２の側部（４）とを含み、
前記周囲溝によって、前記長手軸（Ｚ）に沿って前記軸方向の圧縮力が加えられたときに、前記第１の側部（３）が前記第２の側部（４）と接触することによって前記容器の内部体積を低減させ、
前記圧縮機（Ｐ）は
−  前記折り畳み可能な熱可塑性容器の前記底部に対する載置表面となるように設計された表面を有する少なくとも１つの下側本体（１１２、２０４、３０４）、
−  前記折り畳み可能な熱可塑性容器の前記周囲溝（１２）より上の部分に接触するように設計された少なくとも１つの上側本体（１０８、１１６、１１８、１１９、２０２、２１２、３０８）を含み、
よって前記折り畳み可能な熱可塑性容器は前記少なくとも１つの下側本体（１１２、２０４、３０４）および前記少なくとも１つの上側本体（１０８、１１６、１１８、１１９、２０２、２１２、３０８）によって直立位置にて保持されることができ、前記圧縮機（Ｐ）はさらに
−  前記第１の側部（３）を前記第２の側部（４）と接触させて前記折り畳み可能な熱可塑性容器の内部体積を低減させるために前記軸方向の圧縮力を加えるために、前記少なくとも１つの下側本体（１１２、２０４、３０４）および／または前記少なくとも１つの上側本体（１０８、１１６、１１８、１１９、２０２、２１２、３０８）を始動させるための始動手段を含む、装置。
【請求項２】
前記圧縮機は回転型であり、回転軸の周りを回転するように適合されており、かつ円形パターンに配置された複数の下側本体（１１２）および複数の上側本体（１０８、１１６、１１８、１１９）が設けられており、各上側本体（１０８、１１６、１１８、１１９）はそれぞれの下側本体（１１２）と実質的に整列される、請求項１に記載の装置。
【請求項３】
前記軸方向の圧縮力を加えるために、前記回転軸と平行な方向に沿って前記下側本体（１１２）を逐次的に持ち上げるように構成された第１の始動手段、および／または前記方向に沿って前記上側本体（１０８、１１６、１１８、１１９）を逐次的に下げるように構成された第２の始動手段が提供される、請求項２に記載の装置。
【請求項４】
前記第１の始動手段および／または前記第２の始動手段は、それぞれのカム機構を含む、請求項３に記載の装置。
【請求項５】
前記軸方向の圧縮力を加えるために、各上側本体は前記容器の前記円形の上側端部に接触するように適合されたロッド（１０８）を含むか、または各上側本体は前記容器の前記ネックリング（５２）または前記ショルダーに接触するように適合されたクランプ手段（１１６、１１８）を含む、請求項２〜４のいずれか一項に記載の装置。
【請求項６】
前記容器の前記直立位置を保持することに寄与するために位置決め手段（１１９、１２０）が提供される、請求項５に記載の装置。
【請求項７】
前記少なくとも１つの下側本体は１つの下側コンベヤ（２０４）であり、前記少なくとも１つの上側本体は１つの上側コンベヤ（２０２、２１２）であり、前記下側コンベヤ（２０４）および前記上側コンベヤ（２０２、２１２）は、使用中に複数の折り畳み可能な熱可塑性容器に対する進行方向（Ｔ）を定める、請求項１に記載の装置。
【請求項８】
前記上側コンベヤ（２０２）には前記下側コンベヤ（２０４）と平行な直線部分（２１０）と、前記直線部分（２１０）に関して傾斜されかつ隣接する傾斜した部分（２０６）とが設けられ、前記傾斜した部分（２０６）において前記下側コンベヤ（２０４）と前記上側コンベヤ（２０２）との間の距離が徐々に減少して前記直線部分（２１０）において最小距離に達するように構成されることによって、容器が前記直線部分（２１０）に到達したときに前記軸方向の圧縮力が加えられ、前記始動手段は前記上側コンベヤおよび下側コンベヤを始動するモーターである、請求項７に記載の装置。
【請求項９】
前記軸方向の圧縮力を複数の折り畳み可能な熱可塑性容器に同時に加えるために、前記始動手段は前記進行方向（Ｔ）に対して実質的に垂直な方向に沿って前記上側コンベヤ（２１２）を下げるように設計される、請求項７に記載の装置。
【請求項１０】
前記少なくとも１つの下側本体は１つのコンベヤ（３０４）であり、
前記軸方向の圧縮力を加えるために、前記上側本体は前記容器の前記円形の上側端部または前記容器のキャップに当接するように適合されたロッド（３０８）、または前記容器の前記ネックリング（５２）または前記ショルダーに接触するように適合されたクランプを含む、請求項１に記載の装置。
【請求項１１】
前記圧縮機は前記周囲溝（１２）を冷却するための冷却手段を含む、請求項１〜１０のいずれか一項に記載の装置。
【請求項１２】
高温充填または中温充填プロセスであって、請求項１〜１１のいずれか一項に記載の装置が提供されており、前記プロセスは、前記圧縮機（Ｐ）によって１つ以上の折り畳み可能な容器に同時または逐次的に前記軸方向の圧縮力を加えるステップを含む、高温充填または中温充填プロセス。
【請求項１３】
以下のステップ、
−  前記ブロー成形機（Ｂ）によって、複数の折り畳み可能な熱可塑性容器を生産するステップ、
−  前記圧縮機（Ｐ）によって、前記折り畳み可能な熱可塑性容器に前記軸方向の圧縮力を同時または逐次的に加えるステップ、
−  前記充填機（Ｆ）によって、前記折り畳み可能な熱可塑性容器を充填するステップを含む、請求項１２に記載の高温充填または中温充填プロセス。
【請求項１４】
以下のステップ、
−  前記ブロー成形機（Ｂ）によって、複数の折り畳み可能な熱可塑性容器を生産するステップ、
−  前記充填機（Ｆ）によって、前記折り畳み可能な熱可塑性容器を充填するステップ、
−  前記圧縮機（Ｐ）によって、前記折り畳み可能な熱可塑性容器に前記軸方向の圧縮力を同時または逐次的に加えるステップ、
−  前記キャッピング機（Ｃ）によって、前記折り畳み可能な熱可塑性容器をキャッピングするステップを含む、請求項１２に記載の高温充填または中温充填プロセス。
【国際調査報告】
2019532879.tif 000025
2019532879.tif 000026